(57)【特許請求の範囲】
【請求項１】
制御ユニットと、
ジェスチャ認識装置と、
ホログラム生成装置と、
音場生成器と、
を備え、
前記ホログラム生成装置が、第１空間容積においてホログラムを生成するように構成され、
前記音場生成器が、第２空間容積において音場を生成するように構成され、前記第１空間容積及び第２空間容積が、少なくとも部分的に重なり合って、仮想制御容積を形成し、前記ジェスチャ認識装置が、前記仮想制御容積内の適切なジェスチャを認識するように構成され、前記制御ユニットが、前記ジェスチャ認識装置が前記適切なジェスチャを認識したときに、制御対象の構成要素へ信号を送るように構成される、
仮想制御システム。
【請求項２】
前記仮想制御システムが、航空機用洗面所と関連付けられ、前記ホログラムが、ノブ、ボタン、レバー又はスイッチの１つである、請求項１に記載の仮想制御システム。
【請求項３】
前記ホログラムが、前記制御対象の構成要素に隣接する場所に生成される、請求項２に記載の仮想制御システム。
【請求項４】
モーションセンサを更に備え、前記ホログラムが、前記モーションセンサが動きを感知したときに生成される、請求項３に記載の仮想制御システム。
【請求項５】
制御対象の構成要素を第１状態から第２状態へ切り替える方法であって、前記方法が、
制御ユニットと、音場生成器と、ジェスチャ認識装置と、ホログラム生成装置と、を含む仮想制御システムを提供するステップであって、前記ホログラム生成装置が、第１空間容積においてホログラムを生成するように構成され、前記音場生成器が、第２空間容積において音場を生成するように構成され、前記第１空間容積及び第２空間容積が、少なくとも部分的に重なり合って仮想制御容積を形成し、前記ジェスチャ認識装置が、前記仮想制御容積内の人の動き又はジェスチャを認識するように構成される、ステップと、
前記第１空間容積においてホログラムを投影するステップと、
前記第２空間容積において音場を生成するステップと、
前記ジェスチャ認識装置が前記仮想制御容積内の適切なジェスチャを認識したときに前記制御ユニットへ信号を送るステップと、
前記制御ユニットから前記制御対象の構成要素へ信号を送り、前記制御対象の構成要素を前記第１状態から前記第２状態へ切り替えるステップと、
を含む、方法。
【請求項６】
前記仮想制御システムが航空機用洗面所と関連付けられ、前記ホログラムが、ノブ、ボタン、レバー又はスイッチの１つである、請求項５に記載の方法。
【請求項７】
洗面所内部を画定する囲繞体と、
開放位置と閉鎖位置との間で移動可能なドアと、
前記洗面所内部に位置付けられた洗面台と、
前記洗面所内部に位置付けられた便器と、
制御ユニットと、ジェスチャ認識装置と、ホログラム生成装置と、音場生成器と、を含む仮想制御システムであって、前記ホログラム生成装置が、前記洗面所内部で第１空間容積においてホログラムを生成するように構成され、前記音場生成器が、前記洗面所内部で第２空間容積において音場を生成するように構成され、前記第１空間容積及び第２空間容積が、少なくとも部分的に重なり合って仮想制御容積を形成し、前記ジェスチャ認識装置が、前記仮想制御容積内の適切なジェスチャを認識するように構成され、前記制御ユニットが、前記ジェスチャ認識装置が前記適切なジェスチャを認識したときに制御対象の構成要素へ信号を送るように構成され、前記制御対象の構成要素が前記便器、洗面台又はドアの１つと関連付けられる、仮想制御システムと、
を備える、航空機用洗面所。
【請求項８】
前記ホログラムが、前記ドアが前記閉鎖位置から前記開放位置へ移動されたときに生成されるように構成される、請求項７に記載の航空機用洗面所。
【請求項９】
モーションセンサを更に備え、前記ホログラムが、前記モーションセンサが起動されたときに生成される、請求項７に記載の航空機用洗面所。
【請求項１０】
洗面所内部を画定する囲繞体と、
開放位置と閉鎖位置との間で移動可能なドアと、
前記洗面所内部に位置付けられた洗面台と、
前記洗面所内部に位置付けられた便器と、
制御ユニットと、ジェスチャ認識装置と、ホログラム生成装置と、を含む仮想制御システムであって、前記ホログラム生成装置が、前記洗面所内部で第１空間容積においてホログラムを生成するように構成され、前記ジェスチャ認識装置が、前記第１空間容積内の適切なジェスチャを認識するように構成され、前記制御ユニットが、前記ジェスチャ認識装置が前記適切なジェスチャを認識したときに制御対象の構成要素へ信号を送るように構成され、前記制御対象の構成要素が前記便器、洗面台又はドアの１つと関連付けられる、仮想制御システムと、
を備え、
前記ホログラムが、前記ドアが前記閉鎖位置から前記開放位置へ移動されたときに生成されるように構成される、航空機用洗面所。
【請求項１１】
洗面所内部を画定する囲繞体と、
開放位置と閉鎖位置との間で移動可能なドアと、
前記洗面所内部に位置付けられた洗面台と、
前記洗面所内部に位置付けられた便器と、
制御ユニットと、ジェスチャ認識装置と、ホログラム生成装置と、を含む仮想制御システムであって、前記ホログラム生成装置が、前記洗面所内部で第１空間容積においてホログラムを生成するように構成され、前記ジェスチャ認識装置が、前記第１空間容積内の適切なジェスチャを認識するように構成され、前記制御ユニットが、前記ジェスチャ認識装置が前記適切なジェスチャを認識したときに制御対象の構成要素へ信号を送るように構成され、前記制御対象の構成要素が前記便器、洗面台又はドアの１つと関連付けられる、仮想制御システムと、
を備え、
モーションセンサを更に備え、前記ホログラムが、前記モーションセンサが起動されたときに生成される、航空機用洗面所。
【発明の詳細な説明】
【技術分野】
【０００１】
［関連出願の相互参照］
本出願は、２０１７年７月３１日に提出された米国仮特許出願第６２／５３９３３７号（その全体が、参照により本明細書に援用される）の利益を主張する。
【０００２】
本発明は、概略的に仮想制御装置及びシステム、特に航空機用洗面所に使用できる仮想制御装置及びシステムに関する。
【背景技術】
【０００３】
公衆化粧室、特に航空機用化粧室は汚れている可能性がある。そのため、乗客は洗面所内の中で触れるものをなるべく少なくしようとする。したがって、タッチレス「ボタン」又は制御装置を提供するためのシステムは、現在の航空機用洗面所の改良となる。
【発明の概要】
【０００４】
本発明の第１の形態によれば、制御ユニットと、ジェスチャ認識装置と、ホログラム生成装置と、を含む仮想制御システムが提供される。ホログラム生成装置は、第１空間容積においてホログラムを生成するように構成される。ジェスチャ認識装置は、第１空間容積内の適切なジェスチャを認識するように構成される。制御ユニットは、ジェスチャ認識装置が適切なジェスチャを認識したとき制御対象の構成要素へ信号を送るように構成される。好ましい実施形態において、仮想制御システムは、第２空間容積において音場を生成するように構成される音場生成器を含む。第１空間容積及び第２空間容積は、少なくとも部分的に重なり合って、仮想制御容積を形成する。ジェスチャ認識装置は、仮想制御容積内の適切なジェスチャを認識するように構成される。適切なジェスチャは、制御対象の構成要素へ信号を送らせる（かつ第１状態から第２状態へ切り替えさせる）使用者の唯一のジェスチャであることが分かるはずである。例えば、捩じり運動がノブにとって適切なジェスチャである場合、使用者が自分の手を第１空間容積又は仮想制御容積内に単に置く場合、信号は送られない。言い換えると、ドアは開かない。適切なジェスチャが必要なので、偶発的に構成要素がオンまたはオフへ切り替えられるのを防止する。
【０００５】
好ましい実施形態において、仮想制御システムは、航空機用洗面所と関連付けられ、ホログラムは、ノブ、ボタン、レバー又はスイッチの１つの形状である又はそれらの１つとして使用者によって感知される。好ましくは、ホログラムは、制御対象の構成要素に隣接する場所において生成される。
【０００６】
本発明の別の形態によれば、制御対象の構成要素を第１状態から第２状態へ切り替える方法が提供される。方法は、制御ユニットと、音場生成器と、ジェスチャ認識装置と、ホログラム生成装置と、を含む仮想制御システムを提供することを含む。ホログラム生成装置は、第１空間容積においてホログラムを生成するように構成され、音場生成器は、第２空間容積において音場を生成するように構成される。第１空間容積及び第２空間容積は、少なくとも部分的に重なり合って、仮想制御容積を形成する。ジェスチャ認識装置は、仮想制御容積内の人の動き又はジェスチャを認識、感知、測定又は検出するように構成される。方法は、第１空間容積においてホログラムを投影することと、第２空間容積において音場を生成することと、ジェスチャ認識装置が仮想制御容積内の適切なジェスチャを認識したときに制御ユニットへ信号を送ることと、制御ユニットから制御対象の構成要素へ信号を送って、制御対象の構成要素を第１状態から第２状態へ切り替えることと、を更に含む。
【０００７】
本発明の別の形態によれば、洗面所内部を画定する囲繞体と、開放位置と閉鎖位置との間で移動可能なドアと、洗面所内部に配置された洗面台と、洗面所内部に配置された便器と、仮想制御システムとを含む、航空機用洗面所が提供される。仮想制御システムは、制御ユニットと、ジェスチャ認識装置と、ホログラム生成装置と、を含む。ホログラム生成装置は、洗面所内部で第１空間容積においてホログラムを生成するように構成され、ジェスチャ認識装置は、第１空間容積内の適切なジェスチャを認識するように構成される。制御ユニットは、ジェスチャ認識装置が適切なジェスチャを認識したとき、制御対象の構成要素へ信号を送るように構成される。制御対象の構成要素は、便器、洗面台又はドアの１つと関連付けられる。好ましい実施形態において、航空機用洗面所は、洗面所内部で第２空間容積において音場を生成するように構成される音場生成器も含む。第１空間容積及び第２空間容積は、少なくとも部分的に重なり合って、仮想制御容積を形成する。ジェスチャ認識装置は、仮想制御容積内の適切なジェスチャを認識するように構成される。
【０００８】
本発明は、物理的物体に実際には一切触れることなく制御装置を起動できるようにする。好ましい実施形態において、本発明は、航空機用洗面所に使用される。但し、これは本発明を限定することではなく、システムは、他の洗面所及びタッチレス制御が望ましい他の環境において使用できる。本発明は、制御装置を起動するために物理的物体に実際に触れる必要なく、可視及び／又は有形制御を使用者に提供する。概略的に、本発明は、ジェスチャ認識装置によって音場を（触角のために）、ホログラムと（視覚のために）結合する。ジェスチャ認識は、コンピュータ装置による人間の動きの数学的解釈である。使用時に、使用者は、制御装置のホログラムを見て、汚れている又は危険である可能性ある物理的な物体を実際に触れることなく制装置御を起動しながら、制御装置に触れる感触を有する。
【０００９】
好ましい実施形態において、本発明は、制御ユニット（ＣＰＵ）と、レーザーシステム（又はその他のホログラム生成装置）と、音場生成器と、ジェスチャ認識装置と、を含む。制御ユニットは、ホログラムを生成するようレーザーシステムに指示する。例えば、ホログラムは、ドアが開かれて誰かが洗面所に入ったときにのみ生成できる。この状況において、洗面所はタイマを含み、この場合、ホログラムは、特定の時間が経過した後にオフへ切り替えられ、ドアが開かれたらオンに戻る。洗面所はまた、人が洗面所にいるときに感知して洗面所の中の仮想制御装置のためにホログラム及び音場を起動するモーションセンサも含む。仮想制御システムの構成要素（音場生成器、ホログラム生成器、モーションセンサ、ジェスチャ認識装置など）の全ては、全て制御ユニット（又は複数の制御ユニット）と通信することが理解される。
【００１０】
制御ユニットは、少なくとも部分的に好ましくは完全にホログラムの場所及び形状と一致する場所及び形状を有する音場を生成するように音場生成器に指示する。ホログラム及び音場を、本明細書において一緒に「仮想制御装置」と呼ぶ。その結果、使用時に、使用者は、ホログラム及び生成された音場を、可視（ホログラム）及び触知（生成された音場の「感じ」）制御として感知する。使用者が自分の指又は手をホログラムの中に置くことによって、仮想制御装置を「押す」又は「回す」とき、使用者は音場を感じて、仮想制御装置によって制御される行動が起動される。使用者が仮想制御装置を「押す」と、ジェスチャ認識装置によって記録又は感知される。ジェスチャ認識装置は、手の動きを処理して、その結果、信号が制御ユニットへ送られて、制御ユニットは、信号を要求される起動または行動に変換する。
【００１１】
制御（中央処理）ユニットは、ホログラム生成装置及び音場生成器へ信号を送る。制御ユニットは、人のジェスチャを処理するジェスチャ認識装置から信号を受け取る。制御ユニットがジェスチャ認識装置から信号を受け取ると、行動を実施するために（例えば、洗面所のドアを開けるために洗面所のドアの掛け金を外す）信号を送る。
【００１２】
レーザーシステムは、良く見えるホログラムを生成するために必要なすべての設備を備える。ホログラフィは周知なので、詳細な説明は省略する。https//en.wikipedia.org/wiki/Holography（ホログラフィに関するWikipediaエントリ）（その全体が参照により本明細書に援用される）を参照のこと。好ましい実施形態において、音場生成器は、物理的物体を触るように感じられるように人の触感を励起するのに充分に強い音場を生成する。例示的な音場生成器は、米国特許出願公開第２０１６／０１２４０８０号明細書（その全体が参照により本明細書に援用される）において教示される。
【００１３】
好ましくは、ホログラム及び音場の場所及び形状は、少なくとも部分的に一致するので、使用者は、これらを「仮想」物理的物体として感知する。したがって、使用時に、使用者は、仮想制御装置を物理的制御装置であるかのように認識する。例えば、洗面所のドアを開ける場合、仮想制御装置は、回転式ノブ又は回動式レバーのように見える又はその形状を有する。他の事例において、仮想制御装置は、ボタン、スイッチ、ハンドル、便器洗浄ボタン、ハンドル又はレバー、蛇口のノブ等とすることができる。使用者が仮想ノブに「触れる」（ホログラムで占められた同じエリア又は容積に手を置く）と、使用者は音場を感じ、音場は使用者にノブに触る感じを与える。制御対象の構成要素は、典型的には、スイッチ、又は、ラッチ、又は、より大きい構成要素若しくは洗面所において乗客が使用する構成要素と関連付けられる他の構成要素であることが分かるはずである。例えば、便器の場合、現実の制御対象の構成要素は、便器を洗浄させるスイッチとすることができる。洗面台の場合、現実の制御対象の構成要素は、水をオンまたはオフするスイッチとすることができる。ドアノブの場合、現実の制御対象の構成要素は、ラッチ位置とアンラッチ位置との間で移動するラッチとすることができる。当業者は、「制御対象の構成要素」が、各々、各仮想制御装置を操作することによって所望の各動作と関連付けられることが分かるはずである。
【００１４】
例えば使用者が自分の手を捩じることによって仮想制御装置（ノブ）に「触れる」動作は、ジェスチャ認識装置へ信号を送り、ジェスチャ認識装置は、その後、ドアを開くよう制御ユニットへ信号を送る。ホログラフィは周知なので、詳しい説明は省略する。htttps://en.wikipedia.org/wiki/Gesture_recognition（ジェスチャ認識に関するWikipediaエントリ）（その全体が参照により本明細書に援用される）を参照のこと。ジェスチャ認識は、コンピュータ科学及び言語テクノロジーの一要素であり、数学的アルゴリズムを介して人のジェスチャを解釈するために使用される。ジェスチャは、任意の身体の動き又は状態から発することができるが、一般に顔又は手から発せられる。使用者は、単純なジェスチャを使用して、物理的に装置に触れることなく装置を制御又はこれと対話できる。ジェスチャ認識装置は、例えば、カメラ及びコンピュータビジョンアルゴリズムとすることができる。他の状況において、ジェスチャは、制御装置にゴミ箱を開けさせる、水をオン又はオフへ切り替えさせる、照明をオンまたはオフへ切り替えさせる、便座を上下させる、石鹸を供給させる、フライトアテンダントを呼び出させること等ができる。これらの構成要素は、本明細書において概略的に「制御対象の構成要素」又は「オン又はオンへ切り替える対象の構成要素」と呼ばれる。
【００１５】
制御ユニットは、制御ユニットによる信号が（ジェスチャ認識装置から信号を受け取った後に）オン又はオフへ切り替える対象の構成要素へ送られたとき、構成要素が適切に操作されるように、オン又はオフへ切り替える対象の構成要素と電気通信又はデータ通信することが理解される。
【００１６】
本発明は、洗面所外の別のシーンで使用できる。例えば、本発明は、対象物と同じ場所に使用者がいることなく、（ホログラムとして）見て（生成された音場を介して）触れることができる仮想人体（ビデオ又はこれに類似するものを介して現実の人体を見ることが可能である）に「触れる」際に使用できる。対象物の場所において、物体への触感を与える同様の音場を生成できる。
【００１７】
当業者は、各洗面所構成要素のために別個のシステムを使用することができる、又は、単一又は複数のシステムが複数の構成要素を投影する若しくは複数の構成要素と関連付けられることができる、ことが分かるはずである。言い換えると、本発明の実施形態において、レーザーシステム、音場生成器及びジェスチャ認識装置は、制御対象の各洗面所構成要素に別個に使用できる。別の実施形態において、単一のシステムが、投影、信号及び起動を制御する１つ又は複数のユニットによって、２つ以上の場所に投影できる。
【００１８】
本明細書においては、制御対象の構成要素を第１状態から第２状態へ（例えば、オフからオンへ、閉鎖から開放へ、ラッチからアンラッチへ）切り替える方法が開示される。方法は、制御ユニットと、音場生成器と、ジェスチャ認識装置と、ホログラム生成装置と、を含む仮想制御システムを提供することを含む。ホログラム生成装置は、第１空間容積においてホログラムを生成するように構成され、音場生成器は、第２空間容積において音場を生成するように構成される。第１空間容積及び第２空間容積は、少なくとも部分的に重なり合って、仮想制御容積（又はエリア−音場は表面に生成できる）を形成する。ジェスチャ認識装置は、仮想制御容積内の人の動き又はジェスチャを認識するように構成される。方法はまた、第１空間容積においてホログラムを投影することと、第２空間容積において音場を生成することと、仮想制御容積内で身振り（ジェスチャ）をすることを含み、ジェスチャ認識装置は、ジェスチャを認識して、制御ユニットへ信号を送る。そして、制御ユニットは、制御対象の構成要素へ信号を送り、構成要素を第１状態から第２状態へ切り替える。
【００１９】
本発明は、添付図面を参照することによってより容易に理解できる。
【図面の簡単な説明】
【００２０】
【図１】本発明の好ましい実施形態に従ったフローチャートである。
【図２】洗面所の中の複数の仮想制御装置を示す洗面所内部の斜視図である。
【図３】洗面所の中の複数の仮想制御装置を示す洗面所内部の一部分の斜視図である。
【００２１】
同様の数字符号は、いくつかの図面を通じて同様の部分を指す。
【発明を実施するための形態】
【００２２】
下記の説明及び図面は、例示的であって、限定的とはみなされないものとする。多数の具体的細部について、本開示の徹底的な理解のために説明する。但し、特定の事例において、周知の又は従来の細部については、説明をあいまいにしないために説明しない。本開示における１つの実施形態への言及は、同じ実施形態への言及である可能性があるが、必ずしもそうではなく、このような言及は、実施形態の少なくとも１つを意味する。
【００２３】
本明細書において「１つの実施形態」というとき、その実施形態に関連して説明される特定の特徴、構造又は特性が本開示の少なくとも１つの実施形態に含まれることを意味する。本明細書において語句「１つの実施形態において」が様々な場所に現れるが、必ずしも全てが同じ実施形態を意味せず、又、他の実施形態と相互に排他的な別個の実施形態でもない。更に、いくつかの実施形態によって提示され他の実施形態によっては提示されない様々な特徴が説明される。同様に、いくつかの実施形態にとって要件であるが他の実施形態にとっては要件ではない様々な要件が説明される。
【００２４】
本明細書において使用する用語は、概略的に、本開示の文脈において及び各用語が使用される具体的文脈において、その技術における通常の意味を有する。本開示を説明するために使用する特定の用語については、本開示の説明に関して実施者に付加的な指針を与えるために、以下で又は本明細書の別の所で説明される。便宜上、特定の用語が、例えばイタリック体及び引用符を使用して強調される場合がある。強調の使用は用語の範囲及び意味に影響を及ぼすものではない。即ち、用語の範囲及び意味は、強調されるか否かに関係なく同じ文脈において同じである。
【００２５】
同じことを複数の言い方で表せることが分かるはずである。したがって、本明細書において論じられる用語の１つ又はそれ以上について別の言語及び同義語が使用される場合がある。ある用語が本明細書において詳述又は論じられるか否かには特別な意味はない。特定の用語には同義語が与えられる。１つ又は複数の同義語の引用は、他の同義語の使用を除外するものではない。本明細書において論じられる任意の用語の例を含めて、本明細書における例の使用は、単なる例示であって、本開示又は例示される用語の範囲及び意味を更に限定するためのものではない。同様に、本開示は、本明細書において提示される様々な実施形態に限定されない。
【００２６】
本開示の範囲を更に限定する意図を有さずに、本開示の実施形態に従った機器、装置、方法及びその関連する結果の例を以下に示す。タイトル又はサブタイトルは、実施例において読み手の便宜のために使用されており、決して本開示の範囲を制限するものではないことが分かるはずである。特に定義しない限り、本明細書において使用する全ての科学技術用語は、本開示が属する分野の当業者が一般に理解するのと同じ意味を有する。矛盾がある場合、定義を含めて、本文献が優先する。
【００２７】
本明細書において使用する「前」、「後」、「頂部」、「底部」、「側面」、「短い」、「長い」、「上」、「下」、「後」、「前」、「内」、「外」及び「下方」などの用語は、単に説明を容易にするためのものであり、図に示される構成要素の向きを示す。本明細書において説明する構成要素の向きは本発明の範囲内に在ることが分かるはずである。
【００２８】
本発明を限定するためではなく例示するために示す図面を参照すると、図１〜図３は、制御対象の構成要素を第１状態から第２状態へ（例えばオンからオフへ）切り替えるために使用される少なくとも１つの仮想制御装置を含む仮想制御システム１０を示す。システムは、制御ユニット１２と、音場生成器１４と、ジェスチャ認識装置１６と、ホログラム生成装置１８と、を含む。ホログラム生成装置１８は、第１空間容積２０においてホログラムを生成するように構成され、音場生成器１４は、第２空間容積２２において音場を生成するように構成される。図１に示すように、第１空間容積２０及び第２空間容積２２は、少なくとも部分的に重なり合って、仮想制御容積２４を形成する。ジェスチャ認識装置１６は、仮想制御容積２４内の人の動き又はジェスチャを認識するように構成される。
【００２９】
本明細書において説明する仮想制御システム及び個別の仮想制御装置は、航空機用洗面所内で使用されるものとして図示され説明されることが分かるはずである。但し、これは単に例示であり、本発明を限定するものではない。仮想制御システムは、構成要素が制御されて第１状態と第２状態又は複数の状態との間で切り替えできる任意の状況又は場所において使用できる。システム１０は、単一の制御ユニット１２によって制御される複数の仮想制御装置を含むことができる。
【００３０】
使用時に、ホログラム生成装置１８は、第１空間容積２０においてホログラムを投影又は生成し、音場生成器１４は、第２空間容積２２において音場を生成する。その結果、使用者は、仮想制御装置がどこにあるかの視覚表示を与えるホログラムを見ることができる。例えば、図２に示すように、仮想制御装置は、洗面所内の「仮想」ドアノブ３０、「仮想」温冷水蛇口ノブ３２、又は、「仮想」フライトアテンダントコールボタン３４とすることができる。図３は、ホログラム生成装置１８及び仮想制御空間２４付近のジェスチャ認識装置１６の代表的位置付けを示す。図示するように、ホログラム生成装置１８は、第１空間容積２０（点線で示す）においてホログラムを投影し、音場生成器１４は、第２空間容積２２（破断線で示す）において音場を生成し、これらが重なり合ったところに仮想制御容積２４又は装置が形成される。したがって、使用者が、ドアノブ３０のホログラムと同じ概略的位置（即ち、仮想制御容積２４）に自分の手を置くと、使用者は音場を感じ、それによってドアノブに触れているように感じる。使用者は、自分の手を通常のドアノブを回す動きでひねることによって仮想制御空間内でジェスチャを使用する。ジェスチャ認識装置１６は、ジェスチャ（ひねりの動き）を認識して、制御ユニット１２へ信号を送る。制御ユニット１２は、その後、制御対象の構成要素（即ち、閉鎖状態のラッチ）へ信号を送り、制御対象の構成要素を第１状態から第２状態へ切り替える（即ち、閉鎖状態から開放状態へ切り替えて、使用者がドアを開けられるようにする）。
【００３１】
システム１０の構成要素は、その機能を果たすことができる任意の場所に配置できることが、当業者には分かるはずである。例えば、洗面所内部において、洗面所内の様々な「仮想」制御の全てのためにホログラムを投影又は生成する単一のホログラム生成装置、及び／又は、洗面所内の様々な「仮想」制御の全てのために音場を生成する単一の音場生成器があることが考えられる。別の実施形態において、洗面所内の様々な「仮想」制御の各々のために別個のホログラム生成装置及び音場生成器があることが考えられる。単一又は複数のジェスチャ認識装置が可能である。以上で論じた構成要素は、洗面所の中の壁、ドア、天井又はその他の面に又はその中に取り付けできる。構成要素の１つ又はそれ以上は、ハウジング又はユニット内に収納又は配置できる。別の実施形態において、音場生成器は省略でき、仮想制御システムは、システムの「触感」要素を省略できる。
【００３２】
文脈上特に要求しない限り、明細書及び特許請求の範囲の全体において、単語「含む、備える（comprise）」及びこれに類似する単語は、排他的又は網羅的ではなく包括的意味で、即ち「含むが、これに限定されない」という意味で解釈されるべきである。本明細書において使用される場合、用語「接続（connected）」、「結合（coupled）」又はその任意の変形は、２つ又はそれ以上の要素の間の直接又は間接的な接続または結合を意味し、要素間の結合又は接続は、物理的、論理的又はその組合せとすることができる。更に、単語「本明細書において」、「以上で」、「以下で」及び同様の意味を有する単語は、本出願において使用される場合、本出願の特定の部分ではなく、本出願全体を意味する。文脈上可能である場合、以上の「発明を実施するための形態」において単数又は複数を使用する単語は、それぞれ、複数又は単数も含む。複数の項目のリストの参照において単語「又は（or）」は、単語の下記の解釈、即ち、リストの項目のいずれか、リストの項目の全て、及び、リストの項目の任意の組合せ、の全てをカバーする。
【００３３】
本開示の実施形態の上述の説明は、網羅的であること又は以上に開示する正確な形式に教示を限定することを意図しない。本開示の具体的な実施形態及び実施例を、例証のために以上で説明するが、当業者には分かるように、様々な同等の修正が本開示の範囲内において可能である。更に、本明細書において示される具体的な数は単なる例であり、別の実現形態は異なる値、測定値又は範囲を採用できる。
【００３４】
本明細書において提示する本開示の教示は、必ずしも上述のシステムではない他のシステムにも応用できる。以上に説明する様々な実施形態の要素及び作用は、組み合わせて、別の実施形態を与えることができる。本明細書において説明する又は使用する測定値は、単なる代表的なものであり、本発明を限定しない。他の測定値を使用できる。更に、本明細書において示される具体的な材料は単なる例であり、別の実現形態は、様々な材料を採用できる。
【００３５】
上述の特許及び出願及びその他の参考文献は、添付提出書類に列記するものを含めて、参照によりその全体が本明細書に援用される。必要であれば、上述の各種参考文献のシステム、機能及び概念を採用して本開示の更に別の実施形態を与えるために、本開示の形態を修正できる。
【００３６】
これらの及びその他の変更は、以上の「発明を実施するための形態」を考慮して本開示に加えることができる。以上の説明は本開示の特定の実施形態について説明し、想定される最良の様式を説明するが、本文がどのように詳細であっても、教示は、多様に実施できる。システムの細部は、その実現の細部においてかなり変動する可能性があるが、それでも、本明細書において開示する内容に包括される。上述のように、本開示の特定の特徴又は形態を説明する際に使用される特定の用語は、その用語が、その用語と関連付けられる本開示の具体的な特性、特徴又は形態に限定されるために本明細書において再定義されることを示唆するものと解釈されるべきではない。概略的に、特許請求の範囲において使用される用語は、以上の「発明を実施するための形態」が明確にその用語を定義しない限り、本明細書において開示する具体的実施形態に本開示を限定するものと解釈されるべきではない。したがって、本開示の実際の範囲は、開示する実施形態のみでなく、特許請求の範囲に基づき本開示を実施または実現する全ての同様の様式を包括する。
【００３７】
したがって、本発明の代表的実施形態について図示し説明したが、本明細書において使用する全ての用語は、限定的ではなく説明的であり、当業者が本発明の趣旨及び範囲から逸脱することなく多くの変更、修正及び代替を加えることができることが分かるはずである。
【図１】
0006966629.tif 000002
【図２】
0006966629.tif 000003
【図３】
0006966629.tif 000004